(57)【特許請求の範囲】
【請求項１】
単相三線で電力系統から電力の供給を受ける系統端子と、
単相三線で負荷に電力を供給する自立端子と、
一方の入出力が蓄電池に接続される双方向インバータ回路と、
前記双方向インバータ回路の他方の入出力と前記系統端子の間に設けられた系統側フィルタ回路と、
前記他方の入出力と前記自立端子の間に設けられた自立側フィルタ回路と、
前記系統側フィルタ回路と前記系統端子の接続状態を切り替える第１スイッチと、
前記系統側フィルタ回路と前記他方の入出力の接続状態を切り替える第２スイッチと、
前記自立側フィルタ回路と前記自立端子の接続状態を切り替える第３スイッチと、
前記自立側フィルタ回路と前記他方の入出力の接続状態を切り替える第４スイッチと、
前記系統端子と前記自立端子の接続状態を切り替える第５スイッチと、
前記自立端子を構成する中性端子とアースの接続状態を切り替える第１のアース状態切替スイッチと、
前記第１スイッチと前記系統側フィルタ回路を接続する中性線、および前記第２スイッチと前記系統側フィルタ回路を接続する中性線の少なくとも一方と前記アースの接続状態を切り替える第２のアース状態切替スイッチと、
前記系統端子における電圧を検出する系統電圧検出部と、
前記検出の結果に基づいて前記第１〜第５スイッチ、並びに前記第１および第２のアース状態切替スイッチをオンまたはオフさせるスイッチ制御部と、
を備え、
前記スイッチ制御部は、（１）前記検出の結果が正常である場合は、前記第１、第２および第５スイッチをオンさせるとともに、前記第３および第４スイッチ、並びに前記第１および第２のアース状態切替スイッチをオフさせ、（２）前記検出の結果が異常である場合は、前記第１、第２および第５スイッチをオフさせるとともに、前記第３、第４スイッチ、並びに前記第１および第２のアース状態切替スイッチをオンさせ、
前記系統側フィルタ回路は、少なくとも１つのＸコンデンサを含む
ことを特徴とする電力供給装置。
【請求項２】
単相三線で電力系統から電力の供給を受ける系統端子と、
単相三線で負荷に電力を供給する自立端子と、
一方の入出力が蓄電池に接続される双方向インバータ回路と、
前記双方向インバータ回路の他方の入出力と前記系統端子の間に設けられた系統側フィルタ回路と、
前記系統側フィルタ回路と前記系統端子の接続状態を切り替える第１スイッチと、
前記系統側フィルタ回路と前記他方の入出力の接続状態を切り替える第２スイッチと、
前記他方の入出力と前記自立端子の接続状態を切り替える第３スイッチと、
前記系統端子と前記自立端子の接続状態を切り替える第４スイッチと、
前記自立端子を構成する中性端子とアースの接続状態を切り替える第１のアース状態切替スイッチと、
前記第１スイッチと前記系統側フィルタ回路を接続する中性線、および前記第２スイッチと前記系統側フィルタ回路を接続する中性線の少なくとも一方と前記アースの接続状態を切り替える第２のアース状態切替スイッチと、
前記系統端子における電圧を検出する系統電圧検出部と、
前記検出の結果に基づいて前記第１〜第４スイッチ、並びに前記第１および第２のアース状態切替スイッチをオンまたはオフさせるスイッチ制御部と、
を備え、
前記スイッチ制御部は、（１）前記検出の結果が正常である場合は、前記第１、第２および第４スイッチをオンさせるとともに、前記第３スイッチ、並びに前記第１および第２のアース状態切替スイッチをオフさせ、（２）前記検出の結果が異常である場合は、前記第１、第２および第４スイッチをオフさせるとともに、前記第３スイッチ、並びに前記第１および第２のアース状態切替スイッチをオンさせ、
前記系統側フィルタ回路は、少なくとも１つのＸコンデンサを含む
ことを特徴とする電力供給装置。
【請求項３】
前記系統側フィルタ回路は、コモンモードチョークコイルと、前記コモンモードチョークコイルよりも前記第１スイッチ側に設けられた第１Ｘコンデンサおよび第１Ｙコンデンサと、前記コモンモードチョークコイルよりも前記第２スイッチ側に設けられた第２Ｘコンデンサおよび第２Ｙコンデンサとを含む
ことを特徴とする請求項１または請求項２に記載の電力供給装置。
【発明の詳細な説明】
【技術分野】
【０００１】
本発明は、単相三線式の電力系統に連系する、自立運転可能な電力供給装置に関する。
【背景技術】
【０００２】
従来から、通常時には電力系統と連系して該電力系統から供給される電力と蓄電池の放電電力を負荷に供給する一方、停電等により電力系統からの電力の供給が途絶えたときには該電力系統との連系を解除して蓄電池の放電電力のみを負荷に供給する自立運転を行う電力供給装置が知られている（例えば、特許文献１参照）
【０００３】
また、出願人は、自立運転時の雑音端子電圧の規格を満足させるために、図４に示す電力供給装置１０を検討してきた。同図に示すように、この電力供給装置１０は、単相三線で電力系統から電力の供給を受ける系統端子Ｔ１ｒ，Ｔ１ｎ，Ｔ１ｂ（以下、まとめて「Ｔ１」ともいう）と、単相三線で負荷に電力を供給する自立端子Ｔ２ｒ，Ｔ２ｎ，Ｔ２ｂ（以下、まとめて「Ｔ２」ともいう）と、一方の入出力が蓄電池Ｂに接続されるパワーコンディショナ回路（双方向インバータ回路）２と、パワーコンディショナ回路２の他方の入出力と系統端子Ｔ１の間に設けられた系統側フィルタ回路３ａと、上記他方の入出力と自立端子Ｔ２の間に設けられた自立側フィルタ回路３ｂと、系統側フィルタ回路３ａと系統端子Ｔ１の接続状態を切り替える第１スイッチＳ１ｒ，Ｓ１ｎ，Ｓ１ｂ（以下、まとめて「Ｓ１」ともいう）と、系統側フィルタ回路３ａと上記他方の入出力の接続状態を切り替える第２スイッチＳ２ｒ，Ｓ２ｎ，Ｓ２ｂ（以下、まとめて「Ｓ２」ともいう）と、自立側フィルタ回路３ｂと自立端子Ｔ２の接続状態を切り替える第３スイッチＳ３ｒ，Ｓ３ｎ，Ｓ３ｂ（以下、まとめて「Ｓ３」ともいう）と、自立側フィルタ回路３ｂと上記他方の入出力の接続状態を切り替える第４スイッチＳ４ｒ，Ｓ４ｎ，Ｓ４ｂ（以下、まとめて「Ｓ４」ともいう）と、系統端子Ｔ１と自立端子Ｔ２の接続状態を切り替える第５スイッチＳ５ｒ，Ｓ５ｎ，Ｓ５ｂ（以下、まとめて「Ｓ５」ともいう）と、自立端子Ｔ２ｎ（中性端子）とアースの接続状態を切り替える第６スイッチＳ６と、系統端子Ｔ１における電圧を検出する系統電圧検出部４と、第１〜第６スイッチＳ１〜Ｓ６をオンまたはオフさせるスイッチ制御部１１とを備える。
【０００４】
系統電圧検出部４による検出の結果が正常である場合、スイッチ制御部１１は、第１スイッチＳ１、第２スイッチＳ２および第５スイッチＳ５をオンさせるとともに、第３スイッチＳ３、第４スイッチＳ４および第６スイッチＳ６をオフさせる。これにより、パワーコンディショナ回路２によって適当な交流電力に変換された後に系統側フィルタ回路３ａによってノイズが除去された蓄電池Ｂの放電電力と系統端子Ｔ１から供給された電力が自立端子Ｔ２から負荷に供給される。また、このとき、パワーコンディショナ回路２の動作方向を逆にすれば、系統端子Ｔ１から供給された電力で蓄電池Ｂが充電される。
【０００５】
一方、系統電圧検出部４による検出の結果が異常である場合、すなわち、停電等により電力系統からの電力の供給が途絶えた場合、スイッチ制御部１１は、第１スイッチＳ１、第２スイッチＳ２および第５スイッチＳ５をオフさせるとともに、第３スイッチＳ３、第４スイッチＳ４および第６スイッチＳ６をオンさせる。これにより、電力供給装置１０は電力系統から解列される。また、パワーコンディショナ回路２によって適当な交流電力に変換された後に自立側フィルタ回路３ｂによってノイズが除去された蓄電池Ｂの放電電力が自立端子Ｔ２から負荷に供給される。
【０００６】
系統端子Ｔ１ｎは電力系統側においてアースに接続されているため、第５スイッチＳ５ｎがオンのときは自立端子Ｔ２ｎ（中性端子）の電位もアース電位となるが、第５スイッチＳ５ｎがオフのときは自立端子Ｔ２ｎの電位が定まらず、感電の危険がある。これを防ぐために、この電力供給装置１０では、第５スイッチＳ５ｎをオフさせるときに第６スイッチＳ６をオンさせて自立端子Ｔ２ｎの電位をアース電位に維持する。
【０００７】
なお、出願人は電力供給装置１０に関する開示をこれまで行っていないので、この電力供給装置１０を公知技術と認識してはならない。
【先行技術文献】
【特許文献】
【０００８】
【特許文献１】特開２０１４−２１２６５５号公報
【発明の概要】
【発明が解決しようとする課題】
【０００９】
上記の通り、電力供給装置１０では、自立運転時に第１スイッチＳ１、第２スイッチＳ２および第５スイッチＳ５がオフされるので、パワーコンディショナ回路２と系統端子Ｔ１との接続は断たれる。このため、パワーコンディショナ回路２で発生したノイズは電力線を介して系統端子Ｔ１に直接的には伝搬し得ない。しかしながら、実際には、これらのスイッチの接点間の空間や回路基板がノイズの伝搬経路となり得る。そして、これらの伝搬経路を伝搬した微小なノイズにより、系統端子Ｔ１における雑音端子電圧が規格値を超えてしまうことがあった。
【００１０】
本発明は、上記事情に鑑みてなされたものであって、自立運転時の系統端子における雑音端子電圧が従来よりも低減される電力供給装置を提供することを課題とする。
【課題を解決するための手段】
【００１１】
上記課題を解決するために、本発明に係る第１の電力供給装置は、単相三線で電力系統から電力の供給を受ける系統端子と、単相三線で負荷に電力を供給する自立端子と、一方の入出力が蓄電池に接続される双方向インバータ回路と、前記双方向インバータ回路の他方の入出力と前記系統端子の間に設けられた系統側フィルタ回路と、前記他方の入出力と前記自立端子の間に設けられた自立側フィルタ回路と、前記系統側フィルタ回路と前記系統端子の接続状態を切り替える第１スイッチと、前記系統側フィルタ回路と前記他方の入出力の接続状態を切り替える第２スイッチと、前記自立側フィルタ回路と前記自立端子の接続状態を切り替える第３スイッチと、前記自立側フィルタ回路と前記他方の入出力の接続状態を切り替える第４スイッチと、前記系統端子と前記自立端子の接続状態を切り替える第５スイッチと、前記自立端子を構成する中性端子とアースの接続状態を切り替える第１のアース状態切替スイッチと、前記第１スイッチと前記系統側フィルタ回路を接続する中性線、および前記第２スイッチと前記系統側フィルタ回路を接続する中性線の少なくとも一方と前記アースの接続状態を切り替える第２のアース状態切替スイッチと、前記系統端子における電圧を検出する系統電圧検出部と、前記検出の結果に基づいて前記第１〜第５スイッチ、並びに前記第１および第２のアース状態切替スイッチをオンまたはオフさせるスイッチ制御部とを備え、前記スイッチ制御部は、（１）前記検出の結果が正常である場合は、前記第１、第２および第５スイッチをオンさせるとともに、前記第３および第４スイッチ、並びに前記第１および第２のアース状態切替スイッチをオフさせ、（２）前記検出の結果が異常である場合は、前記第１、第２および第５スイッチをオフさせるとともに、前記第３および第４スイッチ、並びに前記第１および第２のアース状態切替スイッチをオンさせ、前記系統側フィルタ回路は、少なくとも１つのＸコンデンサを含む。
【００１２】
この構成では、系統電圧検出部による検出の結果が異常である場合、すなわち、自立運転時に、第１スイッチと系統側フィルタ回路を接続する中性線および第２スイッチと系統側フィルタ回路を接続する中性線の少なくとも一方とアースが第２のアース状態切替スイッチによって接続される。また、系統側フィルタ回路は、少なくとも１つのＸコンデンサを含む。したがって、この構成によれば、自立運転時に、系統側フィルタ回路の中性相が接地されるとともに、他の２相がＸコンデンサおよび中性相を介して交流的に接地されるので、系統側フィルタ回路がシールドとなって、双方向インバータ回路（パワーコンディショナ回路）から系統端子へのノイズの伝搬を低減することができる。
【００１３】
また、本発明に係る第２の電力供給装置は、単相三線で電力系統から電力の供給を受ける系統端子と、単相三線で負荷に電力を供給する自立端子と、一方の入出力が蓄電池に接続される双方向インバータ回路と、前記双方向インバータ回路の他方の入出力と前記系統端子の間に設けられた系統側フィルタ回路と、前記系統側フィルタ回路と前記系統端子の接続状態を切り替える第１スイッチと、前記系統側フィルタ回路と前記他方の入出力の接続状態を切り替える第２スイッチと、前記他方の入出力と前記自立端子の接続状態を切り替える第３スイッチと、前記系統端子と前記自立端子の接続状態を切り替える第４スイッチと、前記自立端子を構成する中性端子とアースの接続状態を切り替える第１のアース状態切替スイッチと、前記第１スイッチと前記系統側フィルタ回路を接続する中性線、および前記第２スイッチと前記系統側フィルタ回路を接続する中性線の少なくとも一方と前記アースの接続状態を切り替える第２のアース状態切替スイッチと、前記系統端子における電圧を検出する系統電圧検出部と、前記検出の結果に基づいて前記第１〜第４スイッチ、並びに前記第１および第２のアース状態切替スイッチをオンまたはオフさせるスイッチ制御部とを備え、前記スイッチ制御部は、（１）前記検出の結果が正常である場合は、前記第１、第２および第４スイッチをオンさせるとともに、前記第３スイッチ、並びに前記第１および第２のアース状態切替スイッチをオフさせ、（２）前記検出の結果が異常である場合は、前記第１、第２および第４スイッチをオフさせるとともに、前記第３スイッチ、並びに前記第１および第２のアース状態切替スイッチをオンさせ、前記系統側フィルタ回路は、少なくとも１つのＸコンデンサを含む。
【００１４】
この構成によっても、上記第１の電力供給装置と同様の作用効果が得られる。
【００１５】
上記第１および第２の電力供給装置の系統側フィルタ回路は、例えば、コモンモードチョークコイルと、前記コモンモードチョークコイルよりも前記第１スイッチ側に設けられた第１Ｘコンデンサおよび第１Ｙコンデンサと、前記コモンモードチョークコイルよりも前記第２スイッチ側に設けられた第２Ｘコンデンサおよび第２Ｙコンデンサとを含むが、これには限定されない。
【発明の効果】
【００１６】
本発明によれば、自立運転時の系統端子における雑音端子電圧が従来よりも低減された電力供給装置を提供することができる。
【図面の簡単な説明】
【００１７】
【図１】本発明の第１実施例に係る電力供給装置の回路図である。
【図２】本発明の第２実施例に係る電力供給装置の回路図である。
【図３】本発明の第３実施例に係る電力供給装置の回路図である。
【図４】出願人が検討してきた電力供給装置の回路図である。
【発明を実施するための形態】
【００１８】
以下、添付図面を参照して、本発明に係る電力変換装置の実施例について説明する。
【００１９】
［第１実施例］
図１に、本発明の第１実施例に係る電力供給装置１Ａを示す。同図に示すように、電力供給装置１Ａは、単相三線で電力系統から電力の供給を受ける系統端子Ｔ１ｒ，Ｔ１ｎ，Ｔ１ｂ（以下、まとめて「Ｔ１」ともいう）と、単相三線で負荷に電力を供給する自立端子Ｔ２ｒ，Ｔ２ｎ，Ｔ２ｂ（以下、まとめて「Ｔ２」ともいう）と、一方の入出力が蓄電池Ｂに接続されるパワーコンディショナ回路２と、パワーコンディショナ回路２の他方の入出力と系統端子Ｔ１の間に設けられた系統側フィルタ回路３ａと、上記他方の入出力と自立端子Ｔ２の間に設けられた自立側フィルタ回路３ｂと、系統側フィルタ回路３ａと系統端子Ｔ１の接続状態を切り替える第１スイッチＳ１ｒ，Ｓ１ｎ，Ｓ１ｂ（以下、まとめて「Ｓ１」ともいう）と、系統側フィルタ回路３ａと上記他方の入出力の接続状態を切り替える第２スイッチＳ２ｒ，Ｓ２ｎ，Ｓ２ｂ（以下、まとめて「Ｓ２」ともいう）と、自立側フィルタ回路３ｂと自立端子Ｔ２の接続状態を切り替える第３スイッチＳ３ｒ，Ｓ３ｎ，Ｓ３ｂ（以下、まとめて「Ｓ３」ともいう）と、自立側フィルタ回路３ｂと上記他方の入出力の接続状態を切り替える第４スイッチＳ４ｒ，Ｓ４ｎ，Ｓ４ｂ（以下、まとめて「Ｓ４」ともいう）と、系統端子Ｔ１と自立端子Ｔ２の接続状態を切り替える第５スイッチＳ５ｒ，Ｓ５ｎ，Ｓ５ｂ（以下、まとめて「Ｓ５」ともいう）と、自立端子Ｔ２ｎ（中性端子）とアースの接続状態を切り替える第６スイッチＳ６（本発明の「第１のアース状態切替スイッチ」に相当）と、第１スイッチＳ１と系統側フィルタ回路３ａを接続する中性線とアースの接続状態を切り替える第７スイッチＳ７（本発明の「第２のアース状態切替スイッチ」に相当）と、系統端子Ｔ１における電圧を検出する系統電圧検出部４と、第１〜第７スイッチＳ１〜Ｓ７をオンまたはオフさせるスイッチ制御部５Ａとを備える。
【００２０】
パワーコンディショナ回路２は、双方向インバータ回路からなる。蓄電池Ｂを放電させる場合、パワーコンディショナ回路２は、一方の入出力に入力される蓄電池Ｂの放電電力（直流）を適当な交流電力に変換して他方の入出力から出力する。一方、蓄電池Ｂを充電する場合、パワーコンディショナ回路２は、他方の入出力から入力される交流電力を適当な直流電力に変換して一方の入出力から出力する。上記交流電力は、系統側フィルタ回路３ａによってノイズが除去された後の系統電力である。
【００２１】
系統側フィルタ回路３ａは、同一のコアに巻回された３つのコイルからなるコモンモードチョークコイルＬａと、コモンモードチョークコイルＬａよりも第１スイッチＳ１側に設けられた第１ＸコンデンサＣ１ｘおよび第１ＹコンデンサＣ１ｙと、コモンモードチョークコイルＬａよりも第２スイッチＳ２側に設けられた第２ＸコンデンサＣ２ｘおよび第２ＹコンデンサＣ２ｙとを含む。
【００２２】
同様に、自立側フィルタ回路３ｂは、同一のコアに巻回された３つのコイルからなるコモンモードチョークコイルＬｂと、コモンモードチョークコイルＬｂよりも第３スイッチＳ３側に設けられた第３ＸコンデンサＣ３ｘおよび第３ＹコンデンサＣ３ｙと、コモンモードチョークコイルＬｂよりも第４スイッチＳ４側に設けられた第４ＸコンデンサＣ４ｘおよび第４ＹコンデンサＣ４ｙとを含む。
【００２３】
第１〜第４ＸコンデンサＣ１ｘ〜Ｃ４ｘおよび第１〜第４ＹコンデンサＣ１ｙ〜Ｃ４ｙは、それぞれ３つのコンデンサからなる。系統側フィルタ回路３ａは、上記の構成に限定されないが、少なくとも１つのＸコンデンサ（３つのコンデンサ）を含む必要がある。また、自立側フィルタ回路３ｂも、上記の構成に限定されない。
【００２４】
第１〜第７スイッチＳ１〜Ｓ７は、それぞれコイル部と接点部とを含むリレーからなる。コイル部に電流が流れると、接点部が接触状態となってリレーはオンする。一方、コイル部に電流が流れなくなると、接点部が非接触状態となってリレーはオフする。
【００２５】
スイッチ制御部５Ａは、系統電圧検出部４による検出の結果に基づいて、第１〜第７スイッチＳ１〜Ｓ７のコイル部に流す電流を制御することにより、各スイッチをオンまたはオフさせる。
【００２６】
より詳しくは、系統電圧検出部４によって検出された系統電圧が正常である場合（例えば、系統端子Ｔ１ｒと系統端子Ｔ１ｎ（中性端子）の電位差が１００ＶＡＣであり、かつ系統端子Ｔ１ｂと系統端子Ｔ１ｎの電位差が１００ＶＡＣである場合）、スイッチ制御部５Ａは、第１スイッチＳ１、第２スイッチＳ２および第５スイッチＳ５をオンさせるとともに、第３スイッチＳ３、第４スイッチＳ４、第６スイッチＳ６および第７スイッチＳ７をオフさせる。これにより、パワーコンディショナ回路２によって適当な交流電力に変換された後に系統側フィルタ回路３ａによってノイズが除去された蓄電池Ｂの放電電力と系統端子Ｔ１から供給された電力が自立端子Ｔ２から負荷に供給される。このとき、パワーコンディショナ回路２の動作方向を逆にすれば、系統電力で蓄電池Ｂが充電される。
【００２７】
一方、系統電圧検出部４によって検出された系統電圧が異常である場合（例えば、停電により、系統端子Ｔ１ｒと系統端子Ｔ１ｎの電位差および系統端子Ｔ１ｂと系統端子Ｔ１ｎの電位差の少なくとも一方が１００ＶＡＣを大きく下回っている場合）、スイッチ制御部５Ａは、第１スイッチＳ１、第２スイッチＳ２および第５スイッチＳ５をオフさせるとともに、第３スイッチＳ３および第４スイッチＳ４をオンさせる。これにより、電力供給装置１Ａは、電力系統から解列される。また、パワーコンディショナ回路２によって適当な交流電力に変換された後に自立側フィルタ回路３ｂによってノイズが除去された蓄電池Ｂの放電電力が自立端子Ｔ２から負荷に供給される。
【００２８】
さらに、この場合、スイッチ制御部５Ａは、第６スイッチＳ６および第７スイッチＳ７をオンさせる。
【００２９】
第６スイッチＳ６がオンになると、自立端子Ｔ２ｎの電位がアース電位となる。
【００３０】
また、第７スイッチＳ７がオンになると、系統側フィルタ回路３ａの中性相が接地されるとともに、他の２相が第１ＸコンデンサＣ１ｘおよび中性相を介して交流的に接地される。その結果、系統側フィルタ回路３ａがシールドとなり、第２スイッチＳ２→系統側フィルタ回路３ａ→第１スイッチＳ１の経路でのノイズの伝搬が低減される。
【００３１】
［第２実施例］
図２に、本発明の第２実施例に係る電力供給装置１Ｂを示す。同図に示すように、電力供給装置１Ｂは、第７スイッチＳ７の代わりに第８スイッチＳ８を備えている点と、スイッチ制御部５Ａの代わりにスイッチ制御部５Ｂを備えている点とにおいて第１実施例と相違するが、他の点は全て第１実施例と同一である。
【００３２】
第８スイッチＳ８は、第１スイッチＳ１と系統側フィルタ回路３ａを接続する中性線ではなく、第２スイッチＳ２と系統側フィルタ回路３ａを接続する中性線とアースの接続状態を切り替えるリレーからなり、コイル部と接点部とを含む。コイル部に電流が流れると、接点部が接触状態となってリレーはオンする。一方、コイル部に電流が流れなくなると、接点部が非接触状態となってリレーはオフする。このように、この実施例では、第８スイッチＳ８が本発明の「第２のアース状態切替スイッチ」に相当する。
【００３３】
系統電圧検出部４によって検出された系統電圧が正常である場合、スイッチ制御部５Ｂは、第１スイッチＳ１、第２スイッチＳ２および第５スイッチＳ５をオンさせるとともに、第３スイッチＳ３、第４スイッチＳ４、第６スイッチＳ６および第８スイッチＳ８をオフさせる。これにより、パワーコンディショナ回路２によって適当な交流電力に変換された後に系統側フィルタ回路３ａによってノイズが除去された蓄電池Ｂの放電電力と系統端子Ｔ１から供給された電力が自立端子Ｔ２から負荷に供給される。このとき、パワーコンディショナ回路２の動作方向を逆にすれば、系統電力で蓄電池Ｂが充電される。
【００３４】
一方、系統電圧検出部４によって検出された系統電圧が異常である場合、スイッチ制御部５Ｂは、第１スイッチＳ１、第２スイッチＳ２および第５スイッチＳ５をオフさせるとともに、第３スイッチＳ３および第４スイッチＳ４をオンさせる。これにより、電力供給装置１Ｂは、電力系統から解列される。また、パワーコンディショナ回路２によって適当な交流電力に変換された後に自立側フィルタ回路３ｂによってノイズが除去された蓄電池Ｂの放電電力が自立端子Ｔ２から負荷に供給される。
【００３５】
さらに、この場合、スイッチ制御部５Ｂは、第６スイッチＳ６および第８スイッチＳ８をオンさせる。
【００３６】
第６スイッチＳ６がオンになると、自立端子Ｔ２ｎの電位がアース電位となる。
【００３７】
また、第８スイッチＳ８がオンになると、系統側フィルタ回路３ａの中性相が接地されるとともに、他の２相が第２ＸコンデンサＣ２ｘおよび中性相を介して交流的に接地される。その結果、系統側フィルタ回路３ａがシールドとなり、第２スイッチＳ２→系統側フィルタ回路３ａ→第１スイッチＳ１の経路でのノイズの伝搬が低減される。ただし、第８スイッチＳ８は、第７スイッチＳ７よりも系統端子Ｔ１から離れた場所で中性線に接続されている。このため、雑音端子電圧の低減の観点からは、第２のアース状態切替スイッチが系統端子Ｔ１からより近い場所で中性線に接続される第１実施例の方が好ましい。
【００３８】
［第３実施例］
図３に、本発明の第３実施例に係る電力供給装置１Ｃを示す。同図に示すように、電力供給装置１Ｃは、第４スイッチＳ４および自立側フィルタ回路３ｂが省略されている点と、スイッチ制御部５Ａの代わりにスイッチ制御部５Ｃを備えている点とにおいて第１実施例と相違するが、他の点は全て第１実施例と同一である。
【００３９】
第３スイッチＳ３は、パワーコンディショナ回路２の他方の入出力と自立端子Ｔ２の接続状態を切り替えるリレーからなり、コイル部と接点部とを含む。コイル部に電流が流れると、接点部が接触状態となってリレーはオンする。一方、コイル部に電流が流れなくなると、接点部が非接触状態となってリレーはオフする。
【００４０】
系統電圧検出部４によって検出された系統電圧が正常である場合、スイッチ制御部５Ｃは、第１スイッチＳ１、第２スイッチＳ２および第５スイッチＳ５をオンさせるとともに、第３スイッチＳ３、第６スイッチＳ６および第７スイッチＳ７をオフさせる。これにより、パワーコンディショナ回路２によって適当な交流電力に変換された後に系統側フィルタ回路３ａによってノイズが除去された蓄電池Ｂの放電電力と系統端子Ｔ１から供給された電力が自立端子Ｔ２から負荷に供給される。このとき、パワーコンディショナ回路２の動作方向を逆にすれば、系統電力で蓄電池Ｂが充電される。
【００４１】
一方、系統電圧検出部４によって検出された系統電圧が異常である場合、スイッチ制御部５Ｃは、第１スイッチＳ１、第２スイッチＳ２および第５スイッチＳ５をオフさせるとともに、第３スイッチＳ３をオンさせる。これにより、電力供給装置１Ｃは、電力系統から解列される。また、パワーコンディショナ回路２によって適当な交流電力に変換された蓄電池Ｂの放電電力が自立端子Ｔ２から負荷に供給される。
【００４２】
さらに、この場合、スイッチ制御部５Ｃは、第６スイッチＳ６および第７スイッチＳ７をオンさせる。
【００４３】
第６スイッチＳ６がオンになると、自立端子Ｔ２ｎの電位がアース電位となる。
【００４４】
また、第７スイッチＳ７がオンになると、系統側フィルタ回路３ａの中性相が接地されるとともに、他の２相が第１ＸコンデンサＣ１ｘおよび中性相を介して交流的に接地される。その結果、系統側フィルタ回路３ａがシールドとなり、第１実施例と同様に、第２スイッチＳ２→系統側フィルタ回路３ａ→第１スイッチＳ１の経路でのノイズの伝搬が低減される。このように、この実施例では、第６スイッチＳ６が本発明の「第１のアース状態切替スイッチ」に相当し、第７スイッチＳ７が本発明の「第２のアース状態切替スイッチ」に相当する。
【００４５】
以上、本発明に係る電力供給装置の第１〜第３実施例について説明してきたが、本発明はこれらに限定されるものではない。
【００４６】
例えば、第１実施例に係る電力供給装置１Ａおよび第３実施例に係る電力供給装置１Ｃは、第８スイッチＳ８をさらに備えていてもよく、第２実施例に係る電力供給装置１Ｂは、自立側フィルタ回路３ｂが省略されていてもよい。
【００４７】
また、スイッチ制御部５Ａ，５Ｂ，５Ｃにおける、系統電圧が正常であるか異常であるかの判断基準も適宜変更することができる。例えば、スイッチ制御部５Ａ，５Ｂ，５Ｃは、系統電圧が低下した場合だけでなく系統電圧が過大になった場合にも、異常であると判断してもよい。
【符号の説明】
【００４８】
１Ａ，１Ｂ，１Ｃ    電力供給装置
２    パワーコンディショナ回路（双方向インバータ回路）
３ａ    系統側フィルタ回路
３ｂ    自立側フィルタ回路
４    系統電圧検出部
５Ａ，５Ｂ，５Ｃ    スイッチ制御部
Ｂ    蓄電池
Ｓ１，Ｓ１ｒ，Ｓ１ｎ，Ｓ１ｂ    第１スイッチ
Ｓ２，Ｓ２ｒ，Ｓ２ｎ，Ｓ２ｂ    第２スイッチ
Ｓ３，Ｓ３ｒ，Ｓ３ｎ，Ｓ３ｂ    第３スイッチ
Ｓ４，Ｓ４ｒ，Ｓ４ｎ，Ｓ４ｂ    第４スイッチ
Ｓ５，Ｓ５ｒ，Ｓ５ｎ，Ｓ５ｂ    第５スイッチ
Ｓ６    第６スイッチ（第１のアース状態切替スイッチ）
Ｓ７    第７スイッチ（第２のアース状態切替スイッチ）
Ｓ８    第８スイッチ（第２のアース状態切替スイッチ）
Ｔ１，Ｔ１ｒ，Ｔ１ｎ，Ｔ１ｂ    系統端子
Ｔ２，Ｔ２ｒ，Ｔ２ｎ，Ｔ２ｂ    自立端子
Ｌａ，Ｌｂ    コモンモードチョークコイル
Ｃ１ｘ    第１Ｘコンデンサ
Ｃ２ｘ    第２Ｘコンデンサ
Ｃ３ｘ    第３Ｘコンデンサ
Ｃ４ｘ    第４Ｘコンデンサ
Ｃ１ｙ    第１Ｙコンデンサ
Ｃ２ｙ    第２Ｙコンデンサ
Ｃ３ｙ    第３Ｙコンデンサ
Ｃ４ｙ    第４Ｙコンデンサ
【図１】
0006529080.tif 000002
【図２】
0006529080.tif 000003
【図３】
0006529080.tif 000004
【図４】
0006529080.tif 000005